(57)【要約】      （修正有）【課題】洗浄したビン類を安全に乾燥させる為の器具を提供する。【解決手段】安全自然乾燥器具ではビンを直立させる事が出来るので水切りが完全となり、又台座に吊り手を付ければ屋外に干す事ができ乾燥が早く安全に出来る様になる。【選択図】図１
0003151204.tif 000002
【実用新案登録請求の範囲】
【請求項１】
ビン類を洗つた後、内部の水を切り安全に乾燥させる為の器具
【考案の詳細な説明】
【考案の目費】
【００１】本考案は、別図の様に洗浄にしたビン類を安全に乾燥させる為の器具
【考案の構成】
【００２】別図の様に洗浄した後のビン類を安全に自然乾燥させる為に台座にそれぞれのビンの口にあつた心棒を取り付ける
【考案の目的】
【００３】ビン類を洗浄した後の内部の水切りと乾燥には皆さん苦労され、逆さに立てればすぐ転び壁・タライその他に斜めによっかければビンの首の所に水滴が残るなど大変不便でしたが下図の様に、今回の安全自然乾燥器具ではビンを直立させる事が出来ますので水切りが完全となり又台座に吊り手を付ければ屋外に干す事ができ乾燥が早く安全に出来る様になります。
【図面の簡単な説明】
【００４】ビン類を洗浄した後の内部の水切りと乾燥には皆さん苦労され、逆さに立てればすぐ転び壁・タライその他に斜めによっかければビンの首の所に水滴が残るなど大変不便でしたが下図の様に、今回の安全自然乾燥器具ではビンを直立させる事が出来ますので水切りが完全となり又台座に吊り手を付ければ屋外に干す事ができ乾燥が早く安全に出来る様になります。
0003151204.tif 000003
【手続補正書】
【提出日】平成20年3月4日(2008.3.4)
【手続補正１】
【補正対象書類名】実用新案登録請求の範囲
【補正対象項目名】全文
【補正方法】変更
【補正の内容】
【実用新案登録請求の範囲】
【請求項１】
ビン類を洗った後、内部の水切りを安全に完全に衛生的に乾燥させる為の器具として後述の別図の様な台座の上にビン類を安全に直立自然乾燥させる事
【手続補正２】
【補正対象書類名】明細書
【補正対象項目名】００４
【補正方法】変更
【補正の内容】
【００４】
【図１】ビン類を洗浄した後の内部の水切りと乾燥には皆さん苦労され、逆さに立てればすぐ転び壁、タライその他に斜めによっかければビンの首の所に水滴が残るなど大変不便でしたが下図ののように、今回の安全自然乾燥器具ではビンを直立させる事が出来ますので水切りが完全となり又台座に吊り手を付ければ屋外に干す事が出来ますので乾燥が早く安全に出来ることになります。
【手続補正３】
【補正対象書類名】図面
【補正対象項目名】全図
【補正方法】変更
【補正の内容】
【図１】
0003151204.tif 000004
【図２】
0003151204.tif 000005
【手続補正書】
【提出日】平成20年5月23日(2008.5.23)
【手続補正１】
【補正対象書類名】実用新案登録請求の範囲
【補正対象項目名】全文
【補正方法】変更
【補正の内容】
【実用新案登録請求の範囲】
【請求項１】
ビン類を洗つた後、内部の水切りを安全に完全に衛生的に乾燥させる為の器具として後述の別図の様な台座の上にビン類を安全に直立自然乾燥させる事
【手続補正２】
【補正対象書類名】明細書
【補正対象項目名】００４
【補正方法】変更
【補正の内容】
【００４】［図１］ビン類を洗浄した後の内部の水切りと乾燥には皆さん苦労去れ、逆さに立てればすぐ転び壁、タライその他に斜めによっかければビンの首の所に水滴が残るなど大変不便でしたが下図のように、今回の安全自然乾燥器具ではビンを直立させる事が出来ますので水切りが完全となり又台座に吊り手を付ければ屋外に干す事が出来ますので乾燥が早く安全に出来ることに成ります。
然し、ビンなどは比較的重い物が多くその為に台座共  の転倒をさけるため台座にはは木製、プラスチツくク等を使い、又心棒も使用目的に合わせてその太さら替えられようにネジコミいたします。
又。台座座の底に重しのおために水抜きをした穴あけした金属等の底板を取り付ければ一そおう安心です。
【手続補正３】
【補正対象書類名】図面
【補正対象項目名】全図
【補正方法】変更
【補正の内容】
【図１】
0003151204.tif 000006
【図２】
0003151204.tif 000007
【手続補正書】
【提出日】平成20年8月20日(2008.8.20)
【手続補正１】
【補正対象書類名】実用新案登録請求の範囲
【補正対象項目名】全文
【補正方法】変更
【補正の内容】
【実用新案登録請求の範囲】
【請求項１】
ビン類を洗つた後、内部の水切りを安全に完全に衛生的に乾燥させる為の器具として後述の別図の様な台座の上にビン類を安全に直立自然乾燥させる事
例えば図図にありますように基礎となります台座とビンその他を支ます為の柱（ネジ込み、差し込み）との協力、合力と成ります
【手続補正２】
【補正対象書類名】明細書
【補正対象項目名】００４
【補正方法】変更
【補正の内容】
【００４】［図１］ビン類を洗浄した後の内部の水切りと乾燥には皆さん苦労去れ、逆さに立てればすぐ転び壁、タライその他に斜めによっかければビンの首の所に水滴が残るなど大変不便でしたが下図ののように、今回の安全自然乾燥器具ではビンを直立させる事が出来ますので水切りが完全となり又台座に吊り手を付ければ屋外に干す事が出来ますので乾燥が早く安全に出来ることに成ります。
然し、ビンなどは比較的重い物が多くその為に台座共  の転倒をさけるため台座にはは木製、プラスチツくク等を使い
0003151204.tif 000008
いたします。す。
0003151204.tif 000009
金属等の底板を取り付ければ一そおう安心です。
【手続補正３】
【補正対象書類名】図面
【補正対象項目名】全図
【補正方法】変更
【補正の内容】
【図１】
0003151204.tif 000010
【図２】
0003151204.tif 000011
【手続補正４】
【補正対象書類名】手続補正書
【補正対象項目名】手続補正４
【補正方法】削除
【補正の内容】
【手続補正書】
【提出日】平成20年12月10日(2008.12.10)
【手続補正１】
【補正対象書類名】実用新案登録請求の範囲
【補正対象項目名】全文
【補正方法】変更
【補正の内容】
【実用新案登録請求の範囲】
【請求項１】
ビン類を洗った後、内部の水切りを安全に完全に衛生的に乾燥させる為の器具として後述の別図の様な台座の上にビン類を安全に直立自然乾燥させる為の器具。
【手続補正２】
【補正対象書類名】明細書
【補正対象項目名】００４
【補正方法】変更
【補正の内容】
【００４】
【図１】ビン類を洗浄した後の内部の水切りと乾燥には皆さん苦労され、逆さに立てればすぐ転び壁、タライその他に斜めによっかければビンの首の所に水滴が残るなど大変不便でしたが下図のように、今回の安全自然乾燥器具ではビンを直立させる事が出来ますので水切りが完全となり又台座に吊り手を付ければ屋外に干す事が出来ますので乾燥が早く安全に出来ることに成ります。然し、ビンなどは比較的重い物が多くその為に台座共  の転倒をさけるため台座には木製、プラスチツくク等を使い又、心棒も使用目的に合わせてその太さを替えられようにネジコミと  いたします。
【手続補正３】
【補正対象書類名】図面
【補正対象項目名】全図
【補正方法】変更
【補正の内容】
【図１】
0003151204.tif 000012
【図２】
0003151204.tif 000013
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
基礎となる台座に、ビン差し込み用心棒を設けてなる、ビン類を安全に乾燥させるための器具。
【手続補正２】
【補正対象書類名】明細書
【補正対象項目名】全文
【補正方法】変更
【補正の内容】
【考案の詳細な説明】
【技術分解】
【００１】本考案は、別図の様に洗浄にしたビン類を安全に乾燥させる為の器具
【考案の構成】
【００２】別図の様に洗浄した後のビン類を安全に自然乾燥させる為に台座にそれぞれのビンの口にあつた心棒を取り付ける
【考案の目的】
【００３】ビン類を洗浄した後の内部の水切りと乾燥には皆さん苦労され、逆さに立てればすぐ転び壁・タライその他に斜めによっかければビンの首の所に水滴が残るなど大変不便でしたが下図の様に、今回の安全自然乾燥器具ではビンを直立させる事が出来ますので水切りが完全となり又台座に吊り手を付ければ屋外に干す事ができ乾燥が早く安全に出来る様になります。
【考案を実施するための最良の形態】
【００４】      ビン類を洗浄した後の内部の水切りと乾燥には皆さん苦労去れ、逆さに立てればすぐ転び壁、タライその他に斜めによっかければビンの首の所に水滴が残るなど大変不便でしたが下図ののように、今回の安全自然乾燥器具ではビンを直立させる事が出来ますので水切りが完全となり又台座に吊り手を付ければ屋外に干す事が出来ますので乾燥が早く安全に出来ることに成ります。
然し、ビンなどは比較的重い物が多くその為に台座共  の転倒をさけるため台座にはは木製、プラスチツくク等を使い又心棒も使用目的に合わせてその太さら替えられようにネジコと  いたします。
【考案の効果】
【００５】図２の様に、今回の安全自然乾燥器具ではビンを直立させる事が出来ますので水切りが完全となり又台座に吊り手を付ければ屋外に干す事ができ乾燥が早く安全に出来る様になります。
【図面の簡単な説明】
【００６】
【図１】本考案の室内の実施図
【図２】本考案の屋外に干す場合の実施図
【符号の説明】
【００７】［図１］
▲１▼  台座
▲２▼  ビン差し込み様心某
▲３▼  台座外に勾配を付ける（転倒防止の為）
▲４▼  台座中心に水抜き穴を付ける
▲７▼  台座転倒防止の底板
［図２］
▲１▼  台座
▲２▼  ビン差し込み様心棒
▲３▼  台座外に勾配を付ける（台座安定のため）
▲４▼  台座中心に水抜き穴を付ける  台座転倒防止の底板
▲５▼  吊り手
▲６▼  竿
【手続補正３】
【補正対象書類名】図面
【補正対象項目名】全図
【補正方法】変更
【補正の内容】
【図１】
0003151204.tif 000014
【図２】
0003151204.tif 000015